(57)【要約】【目的】所定のアルコール度数の日本酒一合に相当するアルコール量となるように、様々なアルコール度数のアルコール飲料を調製することができるアルコール飲料調製容器を提供する。【解決手段】アルコール量を調製するのに用いられるアルコール飲料調製容器１であって、互いに異なるアルコール度数を有する複数のアルコール飲料の各々について、基準値のアルコール量を含む体積量を表示するアルコール飲料注入量ライン２と、希釈後のアルコール飲料のアルコール度数を表示する希釈後目盛り３と、を具備するアルコール飲料調製容器を提供する。【選択図】図３
0003178408.tif 000002
【実用新案登録請求の範囲】
【請求項１】
アルコール量を調製するのに用いられるアルコール飲料調製容器であって、
互いに異なるアルコール度数を有する複数のアルコール飲料の各々について、基準値のアルコール量を含む体積量を表示するアルコール飲料注入量ラインと、希釈された後のアルコール飲料のアルコール度数を表示する希釈後目盛りと、を具備するアルコール飲料調製容器。
【請求項２】
上記基準値のアルコール量が、１６度のアルコール度数の日本酒１８０ｍｌに含まれるアルコール量であることを特徴とする請求項１に記載のアルコール飲料調製容器。
【考案の詳細な説明】
【技術分野】
【０００１】
本考案は、所定のアルコール度数を有する日本酒一合に含まれるアルコール量に相当するアルコール量となるように、様々なアルコール度数を有するアルコール飲料について調製することができるアルコール飲料調製容器に関する。
【背景技術】
【０００２】
健康上の理由からアルコール量を制限されている人や、自分で節制して一日に飲んでもよいアルコール量を決めている人は少なくないが、様々なアルコール度数を有する種々のアルコール飲料について、所定のアルコール度数（例えば、１６％）の日本酒一合に含まれるアルコール量と同量のアルコール量を含む体積量を瞬時に知ることができるアルコール飲料調製容器は、これまでになかった。
【０００３】
よって、例えば健康上の理由から１日のアルコール量を制限しようとしても、ビール、ワイン、焼酎、ウィスキー等のアルコール飲料は、様々なアルコール度数を有するので、例えば、日本酒一合に含まれるアルコール量と同量のアルコール量となるように、種々のアルコール飲料を調製するのに手間がかかっていた。
【先行技術文献】
【特許文献】
【０００４】
【特許文献１】特開２００２−１９９９７７号公報
【特許文献２】実用新案登録第３０９０８０２号公報
【考案の概要】
【考案が解決しようとする課題】
【０００５】
本考案は、所定のアルコール度数の日本酒一合に含まれるアルコール量と同量のアルコール量を含むように、様々なアルコール度数のアルコール飲料の体積量を調製することができるアルコール飲料調製容器を提供することを目的とする。
【課題を解決するための手段】
【０００６】
上記の課題を解決するために、アルコール量を調製するのに用いられるアルコール飲料調製容器であって、互いに異なるアルコール度数を有する複数のアルコール飲料の各々について、基準値のアルコール量を含む体積量を表示するアルコール飲料注入量ラインと、希釈された後のアルコール飲料のアルコール度数を表示する希釈後目盛りと、を具備するアルコール飲料調製容器を提供する。
【０００７】
アルコール飲料注入量ラインは、市販のアルコール飲料のアルコール度数（アルコール飲料全体の体積に対するエタノールの体積）に対応する目盛りである。市販のアルコール飲料のアルコール度数としては、例えば、２５％、３０％、３５％、４０％、４３％のものが多いため、これらに対応する目盛りにするとよい。ただし、本考案における目盛りは、これらのアルコール度数に限定されない。
【０００８】
本考案のアルコール飲料調製容器は、１６度のアルコール度数の日本酒一合に含まれるアルコール量を基準とする。しかし、基準値とするアルコール量は、日本酒一合に含まれるアルコール量に限定されない。例えば、６度（６％）のアルコール度数のビール５００ｍｌ中に含まれるアルコール量を基準としてもよい。
【考案の効果】
【０００９】
本考案のアルコール飲料調製容器は、例えば１６度のアルコール度数の日本酒一合（１８０ｍｌ）に含まれるアルコール量と同量のアルコール量を含むように、様々なアルコール度数を有する種々のアルコール飲料について、体積量を調製することができる。すなわち、趣味の飲酒として多様な種類の酒を楽しむ人にとって、本考案のアルコール飲料調整容器は、たいへんに重宝するものとなる。
【図面の簡単な説明】
【００１０】
【図１】本考案によるアルコール飲料調製容器を示す側面図。
【図２】本考案によるアルコール飲料調製容器の他の形態を示す側面図。
【図３】本考案によるアルコール飲料調製容器の他の形態を示す側面図。
【図４】本考案によるアルコール飲料調製容器の他の形態を示す側面図。
【考案を実施するための形態】
【００１１】
図１に示されるアルコール飲料調製容器には、アルコール度数が１６度の日本酒一合（１８０ｍｌ）に相当するアルコール量となるように調製することができるように、アルコール飲料注入量ライン２および希釈後目盛り３が刻まれている。
【００１２】
本考案のアルコール飲料調製容器１は、アルコール飲料注入量ライン２の間隔が下側で窮屈に見えないように、下部で径が細く、上部の開口１ａ側へ向かって径が太くなる形状に形成されている。本考案のアルコール飲料調製容器は、ガラス、プラスチック、陶磁器、漆器、金属等を含む種々の材質から形成され得るが、透明容器であることが好ましい。容器１が透明容器ではない場合、アルコール飲料注入量ライン２および希釈後目盛り３は、容器の内側に施されていてもよい。
【００１３】
図２に示されるアルコール飲料調製容器１は、アルコール飲料注入量ライン２とともに、希釈後目盛り３を具備し、アルコール度数が１６度以下のアルコール度数についても目盛りが刻まれている。従って、水やお湯で割った後に、日本酒よりも低いアルコール度数のアルコール飲料に調製することができる容器である。
【００１４】
図３に示されるアルコール飲料調製容器１においては、日本酒一合に相当する体積量を判り易くするために、目盛りの数値が１６と書かれている高さ位置が凹所３ａとなっている。この高さ位置の径の寸法は、他の高さ位置の径の寸法より小さい。また、三角形の模様４が各アルコール飲料注入量ラインを示している。
【００１５】
図４は、ビール、ワイン、焼酎、ウィスキー等のアルコール度数を示す数字の隣にアイコンのような絵柄が描かれている容器を示す。このような絵柄５は、例えば、サンドブラスト（Ｓａｎｄｂｌａｓｔｉｎｇ）の方法で描くことができる。
【００１６】
本考案のアルコール飲料調製容器１を使って調製する方法について、一例として、２５度のアルコール度数を有する焼酎を調製する場合を説明する。最初に、２５の数値が示すアルコール飲料注入量ライン２の高さまで（約１１５．２ｍｌ）、２５度の焼酎を注入する。すると、１６度の日本酒一合に含まれるアルコール量とほぼ同じアルコール量を含む焼酎が得られる。ストレートやロックで焼酎を楽しみたい向きには、このままで飲むか適量の氷を加えて飲めばよい。水割り、お湯割りまたは他の液体で希釈して飲みたい向きには、希釈後目盛り３が示す所望のアルコール度数の高さまで、水、お湯または他の液体を注ぎ足せばよい。こうして、２５度のアルコール度数の焼酎について、１６度のアルコール度数の日本酒一合に含まれるアルコール量とほぼ同じアルコール量となるように調製するとともに、水やお湯で割った後に所望のアルコール度数に調製することができる。
【００１７】
本考案の他の一形態においては、アルコール飲料調製容器１は、使用者が習慣的に飲んでいるアルコール飲料のアルコール度数を示す目盛り位置に、特別な目印を付けることができるように、例えば、ガラス容器の目盛り付近に擦りガラスが施されている。そのような擦りガラスに油性ペンなどで目印を付けておけば、目盛りを読み間違えて調製してしまうことが少ない。
【符号の説明】
【００１８】
１…アルコール飲料調製容器
１ａ…上部開口
１ｂ…底部
２…アルコール飲料注入量ライン
３…希釈後目盛り
３ａ…凹所
【図１】
0003178408.tif 000003
【図２】
0003178408.tif 000004
【図３】
0003178408.tif 000005
【図４】
0003178408.tif 000006